(57)【要約】【課題】プラントの設備の保守計画に効果的に利用でき、また、簡易な操作で保守履歴が自動的に登録蓄積でき、登録作業を省力化できる設備保守履歴の管理装置を得る。【解決手段】電子化された引継日誌の取り込みを行う引継日誌取込手段１１、取り込んだ引継日誌１０から設備の保守履歴情報の部分及び設備ＩＤを抽出する保守履歴情報抽出手段１２、保守履歴情報を格納する保守履歴データベース２１、プラントにある設備の設備情報を格納する設備情報データベース２２、保守履歴情報と設備情報とを関連付けたデータを格納する紐付けデータベース２３、抽出した保守履歴情報を保守履歴データベース２１に登録するとともに、抽出した設備ＩＤに対応する設備情報を設備情報データベース２２から検索し、保守履歴情報と検索した設備情報とを関連付けたデータを上記紐付けデータベース２３に格納する保守履歴情報登録手段１３を備えたものとする。【選択図】図１
2010231486.tif 000002
【特許請求の範囲】
【請求項１】
プラントの設備の保守履歴を管理する設備保守履歴の管理装置において、
電子化された引継日誌の取り込みを行う引継日誌取込手段と、
上記取り込んだ引継日誌から設備の保守履歴に関係する保守履歴情報の部分及び設備ＩＤを抽出する保守履歴情報抽出手段と、
上記保守履歴情報を格納する保守履歴データベースと、
上記プラントにある設備の設備情報を格納する設備情報データベースと、
上記保守履歴情報と上記設備情報とを関連付けたデータを格納する紐付けデータベースと、
上記保守履歴情報抽出手段で抽出した保守履歴情報を上記保守履歴データベースに登録するとともに、上記抽出した設備ＩＤに対応する設備情報を上記設備情報データベースから検索して上記保守履歴情報と上記検索した設備情報とを関連付けたデータを上記紐付けデータベースに格納する保守履歴情報登録手段とを備えたことを特徴とする設備保守履歴の管理装置。
【請求項２】
上記保守履歴情報として登録する登録対象を判定するためのキーワードを格納する保守キーワードデータベースと、上記保守キーワードデータベースのキーワードと一致する上記引継日誌のキーワードを検索して上記引継日誌の保守履歴情報を抽出する保守情報判定手段とを備えたことを特徴とする請求項１に記載の設備保守履歴の管理装置。
【請求項３】
上記保守履歴に対応するデータを関連資料として格納する関連資料データベースと、上記引継日誌内の関連資料を上記関連資料データベースに登録する関連資料登録手段とを備えてたことを特徴とする請求項１に記載の設備保守履歴の管理装置。
【請求項４】
プラントの設備の保守履歴を管理する設備保守履歴の管理装置において、
電子化された引継日誌の取り込みを行う引継日誌取込手段と、
上記取り込んだ引継日誌から設備の保守履歴に関係する保守履歴情報の部分を抽出する保守履歴情報抽出手段と、
上記保守履歴情報を格納する保守履歴データベースと、
上記プラントにある設備の設備情報を格納する設備情報データベースと、
上記保守履歴情報と上記設備情報とを関連付けたデータを格納する紐付けデータベースと、
上記引継日誌に記載された設備に関係するキーワードに基づき、上記設備情報データベースから上記キーワードに対応する設備情報を検索する設備情報抽出手段と、
上記保守履歴情報抽出手段で抽出した保守履歴情報を上記保守履歴データベースに登録するとともに、上記保守履歴情報と上記設備情報抽出手段が検索した設備情報とを関連付けたデータを上記紐付けデータベースに格納する保守履歴情報登録手段とを備えたことを特徴とする設備保守履歴の管理装置。
【請求項５】
上記設備情報の重み付け情報を格納する重み付けデータベースと、上記設備情報抽出手段が複数の設備情報を検索した場合に、上記重み付け情報を用いて上記複数の設備情報のうちの最適な設備情報を決定する設備情報判定手段とを備えたことを特徴とする請求項４に記載の設備保守履歴の管理装置。
【発明の詳細な説明】
【技術分野】
【０００１】
本発明は、発電プラント等の設備保守履歴の保存、集計管理を行う装置に関するものである。
【背景技術】
【０００２】
発電プラント等の効果的な運用を行うには、設備の故障や保守の履歴を記録管理し、この情報を元に設備の点検や保守の時期を決定する。これにより、消耗品の交換等が適切に行われ、発電プラント等の運用が円滑に行われる。設備の保守履歴を管理する設備保守履歴の管理装置では、設備毎の故障や保守履歴情報を抽出し表示できるようにすることが必要となる。
【０００３】
プラントを構成する設備の故障時の情報を表示する方法が、例えば、特許文献１に開示されている。この方法では、機器の異常発生に関する警報が出力された際に、この警報に対する復旧対策の対策情報や対策者の氏名等の情報を入力装置の操作によって入力しておくことで、警報履歴を表示させる際に上記情報を警報とともに表示させる。
【先行技術文献】
【特許文献】
【０００４】
【特許文献１】特開昭６３−２３９５９５号公報（第２頁、第１図）
【発明の概要】
【発明が解決しようとする課題】
【０００５】
上記特許文献１では、警報に関連して故障の対策情報等の表示を行うことはできるが、設備情報と保守履歴情報とを関連付けるデータを持たないため設備単位でその設備と関連した故障の対策情報を抽出することはできない。また、故障の対策情報等の登録は入力装置から運転員が手作業で入力するため、情報の入力誤りや入力忘れによる入力漏れ等が発生することがあるという問題があった。
【０００６】
本発明は、上記のような課題を解決するためになされたものであり、プラントの設備の保守計画に効果的に利用でき、また、簡易な操作で保守履歴が自動的に登録蓄積でき、登録作業を省力化することができる設備保守履歴の管理装置を得ることを目的とする。
【課題を解決するための手段】
【０００７】
本発明に係る設備保守履歴の管理装置は、プラントの設備の保守履歴を管理する設備保守履歴の管理装置において、
電子化された引継日誌の取り込みを行う引継日誌取込手段と、
上記取り込んだ引継日誌から設備の保守履歴に関係する保守履歴情報の部分及び設備ＩＤを抽出する保守履歴情報抽出手段と、
上記保守履歴情報を格納する保守履歴データベースと、
上記プラントにある設備の設備情報を格納する設備情報データベースと、
上記保守履歴情報と上記設備情報とを関連付けたデータを格納する紐付けデータベースと、
上記保守履歴情報抽出手段で抽出した保守履歴情報を上記保守履歴データベースに登録するとともに、上記抽出した設備ＩＤに対応する設備情報を上記設備情報データベースから検索して上記保守履歴情報と上記検索した設備情報とを関連付けたデータを上記紐付けデータベースに格納する保守履歴情報登録手段とを備えたものである。
【０００８】
また、プラントの設備の保守履歴を管理する設備保守履歴の管理装置において、
電子化された引継日誌の取り込みを行う引継日誌取込手段と、
上記取り込んだ引継日誌から設備の保守履歴に関係する保守履歴情報の部分を抽出する保守履歴情報抽出手段と、
上記保守履歴情報を格納する保守履歴データベースと、
上記プラントにある設備の設備情報を格納する設備情報データベースと、
上記保守履歴情報と上記設備情報とを関連付けたデータを格納する紐付けデータベースと、
上記引継日誌に記載された設備に関係するキーワードに基づき、上記設備情報データベースから上記キーワードに対応する設備情報を検索する設備情報抽出手段と、
上記保守履歴情報抽出手段で抽出した保守履歴情報を上記保守履歴データベースに登録するとともに、上記保守履歴情報と上記設備情報抽出手段が検索した設備情報とを関連付けたデータを上記紐付けデータベースに格納する保守履歴情報登録手段とを備えたものである。
【発明の効果】
【０００９】
本発明に係る設備保守履歴の管理装置によれば、プラントの設備の保守履歴を管理する設備保守履歴の管理装置において、
電子化された引継日誌の取り込みを行う引継日誌取込手段と、
上記取り込んだ引継日誌から設備の保守履歴に関係する保守履歴情報の部分及び設備ＩＤを抽出する保守履歴情報抽出手段と、
上記保守履歴情報を格納する保守履歴データベースと、
上記プラントにある設備の設備情報を格納する設備情報データベースと、
上記保守履歴情報と上記設備情報とを関連付けたデータを格納する紐付けデータベースと、
上記保守履歴情報抽出手段で抽出した保守履歴情報を上記保守履歴データベースに登録するとともに、上記抽出した設備ＩＤに対応する設備情報を上記設備情報データベースから検索して上記保守履歴情報と上記検索した設備情報とを関連付けたデータを上記紐付けデータベースに格納する保守履歴情報登録手段とを備えたものであるので、プラントの設備の保守計画に効果的に利用でき、また、簡易な操作で保守履歴が自動的に登録蓄積でき、登録作業を省力化することができる設備保守履歴の管理装置を得ることができる。
【００１０】
また、プラントの設備の保守履歴を管理する設備保守履歴の管理装置において、
電子化された引継日誌の取り込みを行う引継日誌取込手段と、
上記取り込んだ引継日誌から設備の保守履歴に関係する保守履歴情報の部分を抽出する保守履歴情報抽出手段と、
上記保守履歴情報を格納する保守履歴データベースと、
上記プラントにある設備の設備情報を格納する設備情報データベースと、
上記保守履歴情報と上記設備情報とを関連付けたデータを格納する紐付けデータベースと、
上記引継日誌に記載された設備に関係するキーワードに基づき、上記設備情報データベースから上記キーワードに対応する設備情報を検索する設備情報抽出手段と、
上記保守履歴情報抽出手段で抽出した保守履歴情報を上記保守履歴データベースに登録するとともに、上記保守履歴情報と上記設備情報抽出手段が検索した設備情報とを関連付けたデータを上記紐付けデータベースに格納する保守履歴情報登録手段とを備えたものであるので、プラントの設備の保守計画に効果的に利用でき、また、簡易な操作で保守履歴が自動的に登録蓄積でき、登録作業を省力化することができ、さらに、運転員が引継日誌に設備ＩＤを書き込む必要がなくなり、運転員の負荷を軽減することができる設備保守履歴の管理装置を得ることができる。
【図面の簡単な説明】
【００１１】
【図１】本発明に係る設備保守履歴の管理装置の実施の形態１を示す全体構成図である。
【図２】実施の形態１における設備保守履歴管理装置への保守履歴情報の自動登録の流れを示すフロー図である。
【図３】本発明に係る設備保守履歴の管理装置の実施の形態２を示す全体構成図である。
【図４】実施の形態２における設備保守履歴の管理装置１への保守履歴情報の自動登録の流れを示すフロー図である。
【図５】本発明に係る設備保守履歴の管理装置の実施の形態３を示す全体構成図である。
【図６】実施の形態３における設備保守履歴の管理装置１への保守履歴情報の自動登録の流れを示すフロー図である。
【図７】本発明に係る設備保守履歴の管理装置の実施の形態４を示す全体構成図である。
【図８】実施の形態４における設備保守履歴管理装置への保守履歴情報の自動登録の流れを示すフロー図である。
【図９】本発明に係る設備保守履歴の管理装置の実施の形態５を示す全体構成図である。
【図１０】実施の形態５における設備保守履歴管理装置への保守履歴情報の自動登録の流れを示すフロー図である。
【発明を実施するための形態】
【００１２】
以下、本発明の実施の形態１を図に基づいて説明する。
実施の形態１．
発電プラント等は通常２４時間連続運転が行われているため、運転途中で作業員の交代が行われ、作業員の交代時にはプラント運転の継続性を保つために引継ぎ作業が行われるが、この時に用いられる引継日誌には設備の保守作業が確実に記載されている。
また、引継日誌は通常は電子ファイルで作成されている。
図１は、本発明に係る設備保守履歴の管理装置の実施の形態１を示す全体構成図である。
図１において、設備保守履歴管理装置１は、電子化された運転員の引継日誌の取り込みを行う引継日誌取込手段１１と、取り込んだ引継日誌１０の引継項目である日付、項目名称、設備ＩＤ、作業内容、設備等における内容から保守履歴に関係する保守履歴情報の部分を抽出する保守履歴情報抽出手段１２と、保守履歴情報を格納する保守履歴データベース２１と、プラントにある設備の設備情報を格納する設備情報データベース２２と、保守履歴情報と設備情報とを関連付けたデータを格納する紐付けデータベース２３と、保守履歴情報抽出手段１２で抽出した保守履歴情報を保守履歴データベース２１に登録するとともに、抽出した保守履歴情報に対応する上記設備情報データベースに格納された設備情報を検索して上記保守履歴情報と上記検索した設備情報とを関連付けたデータを上記紐付けデータベース２２に格納する保守履歴情報登録手１３とにより構成される。
【００１３】
なお、設備保守履歴の管理装置１は、例えばパーソナルコンピュータなどを含む一般的なコンピュータを用いて構成することができる。
【００１４】
次に動作について説明する。
図２は、本実施の形態１における設備保守履歴管理装置への保守履歴情報の自動登録の流れを示すフロー図である。
【００１５】
まず、引継日誌取込手段１１は、保守履歴情報の抽出元となる引継日誌を設備保守履歴管理装置１へ取り込む（ＳＴ２０１）。保守履歴情報抽出手段１２は、取り込んだ引継日誌１０から引継項目を読み込み（ＳＴ２０２）、読み込んだ引継項目が保守履歴情報として登録対象であるかを登録対象フラグ等で判定する（ＳＴ２０３）。登録対象でなければ、次の引継項目を読み込み、登録対象の場合は引継項目の内容から日付、項目名称、作業内容等の登録する項目及び設備ＩＤを抽出する（ＳＴ２０４）。保守履歴情報登録手段１３は、保守履歴データベースに抽出された保守履歴情報の登録を行い（Ｓ２０５）、また、設備情報データベース２２から抽出された設備ＩＤに対応する設備情報を検索して保守履歴情報と設備情報とを関連付けたデータを紐付けデータベース２３に登録する（Ｓ２０６）。引継日誌内の全引継項目に対して処理を繰り返す（Ｓ２０７）。
【００１６】
本実施の形態１によれば、保守計画の作成に際して、保守履歴情報と設備情報とが関連付けされたデータが格納された紐付けデータベース２３から、設備単位で関連した故障の対策情報を抽出することができるので、効果的な保守計画ができるようになる。
【００１７】
また、電子化された運転員の引継日誌から保守履歴情報を確実に蓄積できるとともに、保守履歴情報の登録及び保守履歴情報に対応する設備情報の検索並びに保守履歴情報と設備情報とを関連付けたデータの紐付けデータベース２３への登録を自動で行うことができるので、登録作業を省力化することができる。
【００１８】
実施の形態２．
図３は、本発明に係る設備保守履歴の管理装置の実施の形態２を示す全体構成図である。
図３に示したように、本実施の形態２は、引継日誌１０の各引継項目内に含まれる設備に関するキーワードに基づき、設備情報データベース２２から抽出した保守履歴情報と関連する設備情報を検索する設備情報抽出手段１４を備えている点が上記実施の形態１と異なり、その他の構成は上記実施の形態１と同様である。
【００１９】
なお、設備保守履歴の管理装置１は、例えば、パーソナルコンピュータなどを含む一般的なコンピュータを用いて構成することができる。
【００２０】
次に、動作について説明する。
図４は、本実施の形態２における設備保守履歴の管理装置１への保守履歴情報の自動登録の流れを示すフロー図である。
【００２１】
まず、引継日誌取込手段１１は、保守履歴情報の抽出元となる引継日誌を設備保守履歴管理装置へ取り込む（ＳＴ４０１）。保守履歴情報抽出手段１２は、取り込んだ引継日誌１０の中から引継項目を読み込み（ＳＴ４０２）、読み込んだ引継項目が保守履歴情報として登録対象であるかを登録対象フラグ等で判定する（ＳＴ４０３）。登録対象でなければ、次の引継項目を読み込み、登録対象の場合は引継項目の内容から日付、項目名称、作業内容等の登録する項目を抽出する（ＳＴ４０４）。保守履歴情報登録手段１３は、保守履歴データベースに保守履歴情報抽出手段１２が抽出した項目の登録を行う（Ｓ４０５）。設備情報抽出手段１４は、引継項目内に含まれる設備に関するキーワードに基づき、設備情報データベース２２に登録された設備名称からキーワードに対応する設備情報を検索し（ＳＴ４０６）、検索した場合はそれを抽出した保守履歴情報に対応する設備情報として設定する（ＳＴ４０７）。もし設備情報が見つからなかった場合は、プラント設備全体を設備情報として設定する（ＳＴ４０８）。設備情報が決まると、保守履歴情報登録手段１３は、保守履歴情報を保守履歴データベース２１に登録するとともに、保守履歴情報と設備情報抽出手段１４が検索した設備情報とを関連付けたデータを紐付けデータベース２３に登録する（ＳＴ４０９）。引継日誌内の全引継項目に対して処理を繰り返す（ＳＴ４１０）。
【００２２】
本実施の形態２によれば、設備情報抽出手段１４を設け、引継項目に含まれる設備に関するキーワードに基づき、設備情報データベース２２から自動的にキーワードに対応する設備情報を検索して紐付けデータベース２３への登録を行うことができるので、運転員が引継日誌に設備ＩＤを書き込む必要がなくなり、運転員の負荷を軽減することができる。
【００２３】
実施の形態３．
図５は、本発明に係る設備保守履歴の管理装置の実施の形態３を示す全体構成図である。
本実施の形態３は、図５に示したように、設備情報の重み付け情報を格納する重み付けデータベース２４と重み付けデータベース２４に格納された重み付け情報から抽出した保守履歴情報に対応する設備情報を決定する設備情報判定手段１５とを備えている点で、上記実施の形態２と異なり、その他は上記実施の形態２と同様である。
【００２４】
なお、設備保守履歴の管理装置１は、例えばパーソナルコンピュータなどを含む一般的なコンピュータを用いて構成することができる。
【００２５】
次に動作について説明する。
図６は、本実施の形態３における設備保守履歴の管理装置１への保守履歴情報の自動登録の流れを示すフロー図である。
【００２６】
まず、引継日誌取込手段１１は、保守履歴情報の抽出元となる引継日誌を設備保守履歴管理装置へ取り込む（ＳＴ６０１）。保守履歴情報抽出手段１２は、取り込んだ引継日誌１０の中から引継項目を読み込み（ＳＴ６０２）、読み込んだ引継項目が保守履歴情報として登録対象であるかを登録対象フラグ等で判定する（ＳＴ６０３）。登録対象でなければ、次の引継項目を読み込み、登録対象の場合は引継項目の内容から日付、項目名称、作業内容等の登録する保守履歴情報を抽出する（ＳＴ６０４）。保守履歴情報登録手段１３は、保守履歴データベースに保守履歴情報を登録する（ＳＴ６０５）。引継項目内に含まれる設備に関するキーワードから設備情報データベース２２に登録された保守履歴情報に対応する設備情報を検索する（ＳＴ６０６）。複数の設備情報が見つかった場合、設備情報の重み付けデータベース２４を元に最も関連すると判断される設備情報を決定し（ＳＴ６０７）、その設備情報と保守履歴情報とを関連付けたデータを紐付けデータベースに登録する（ＳＴ６０８）。引継日誌内の全引継項目に対して処理を繰り返す（ＳＴ６０９）。
【００２７】
本実施の形態３によれば、設備情報抽出手段１４が複数の設備情報を検索した場合、重み付けデータベース２４に格納された重み付け情報から複数の設備情報のうちの最適な設備情報を決定し、保守履歴情報と最適な設備情報とを関連付けたデータを紐付けデータベース２３に登録することができる。
【００２８】
実施の形態４．
図７は、本発明に係る設備保守履歴の管理装置の実施の形態４を示す全体構成図である。
本実施の形態４では、図７に示したように、保守履歴情報として登録する登録対象を判定するためのキーワードを格納する保守キーワードデータベース２５と、引継日誌１０のキーワードから保守キーワードデータベース２５のキーワードを参照して引継項目が登録対象かどうかを判定する保守情報判定手段１６とを備えている点が上記実施の形態１と異なり、その他の構成は上記実施の形態１と同様である。
【００２９】
なお、設備保守履歴の管理装置１は、例えばパーソナルコンピュータなどを含む一般的なコンピュータを用いて構成することができる。
【００３０】
次に動作について説明する。
図８は、本実施の形態４における設備保守履歴管理装置への保守履歴情報の自動登録の流れを示すフロー図である。
【００３１】
まず、引継日誌取込手段１１は、保守履歴情報の抽出元となる引継日誌を設備保守履歴管理装置１へ取り込む（ＳＴ８０１）。保守履歴情報抽出手段１２は、取り込んだ引継日誌１０の中から引継項目を読み込み（ＳＴ８０２）、保守情報判定手段１６は、引継項目内に修理、保修、交換等の保守履歴登録対象として考えられるキーワードが含まれるかを調べ、保守キーワードデータベース２５の保守キーワードと一致するかどうかを検索し（ＳＴ８０３）、引継項目内に保守キーワードが含まれる場合は登録対象と判定し、保守履歴データベースへの登録（ＳＴ８０４）、紐付けデータベースへの登録を行う（ＳＴ８０５）。引継日誌内の全引継項目に対して処理を繰り返す（ステップ８０６）。
【００３２】
本実施の形態４によれば、保守履歴情報として登録する登録対象を判定するためのキーワードを格納する保守キーワードデータベース２５と、引継日誌１０のキーワードから保守キーワードデータベース２５のキーワードを参照して引継項目が登録対象かどうかを判定する保守情報判定手段１６とを備えているので、引継日誌１０からの保守履歴情報の登録指定漏れを無くすことができ、保守履歴情報の蓄積漏れを防止することができる。
【００３３】
実施の形態５．
図９は、本発明に係る設備保守履歴の管理装置の実施の形態５を示す全体構成図である。
【００３４】
本実施の形態５では、図９に示したように、保守履歴に対応する資料を関連資料として格納する関連資料データベース２６と、引継日誌１０内の関連資料を関連資料データベース２６へ登録する関連資料登録手段１７とを備える点で上記実施の形態１と異なり、その他の構成は上記実施の形態１と同様である。
【００３５】
なお、設備保守履歴の管理装置１は、例えばパーソナルコンピュータなどを含む一般的なコンピュータを用いて構成することができる。
【００３６】
次に動作について説明する。
図１０は、本実施の形態５における設備保守履歴管理装置への保守履歴情報の自動登録の流れを示すフロー図である。
【００３７】
まず、引継日誌取込手段１１は、保守履歴情報の抽出元となる引継日誌を設備保守履歴管理装置へ取り込む（ＳＴ１００１）。保守履歴情報抽出手段１２は、取り込んだ引継日誌１０の中から引継項目を読込み（ＳＴ１００２）、登録対象かどうかを判定し（ＳＴ１００３）、登録対象でなければ次の引継項目を読込み、登録対象であれば保守履歴情報の抽出を行い（ＳＴ１００４）、抽出した保守履歴情報を保守履歴データベース２１に登録する（ＳＴ１００５）。登録対象と判定された場合、関連資料登録手段１７が引継項目内のデータを関連情報として関連資料データベース２６に登録する（ＳＴ１００６）。引継日誌１０内の全引継項目に対して処理を繰り返す（ＳＴ１００７）。
【００３８】
本実施の形態５によれば、登録した保守履歴情報の関連情報として、例えば、引継日誌内の写真等の情報を利用することができ、登録された関連情報を保守作業に有効に活用することができる。
【産業上の利用可能性】
【００３９】
本発明に係る設備保守履歴の管理装置は、発電プラント等の効果的な保守計画の立案に有効に利用することができる。
【符号の説明】
【００４０】
１  設備保守履歴の管理装置、１０  引継日誌、１１  引継日誌取り込み手段、
１２  保守履歴情報抽出手段、１３  保守履歴情報登録手段、１４  設備情報抽出手段、
１５  設備情報判定手段、１６  保守情報判定手段、１７  関連資料登録手段、
２１  保守履歴データベース、２２  設備情報データベース、
２３  紐付けデータベース、２４  重み付けデータベース、
２５  保守キーワードデータベース、２６  関連資料データベース。
【図１】
2010231486.tif 000003
【図２】
2010231486.tif 000004
【図３】
2010231486.tif 000005
【図４】
2010231486.tif 000006
【図５】
2010231486.tif 000007
【図６】
2010231486.tif 000008
【図７】
2010231486.tif 000009
【図８】
2010231486.tif 000010
【図９】
2010231486.tif 000011
【図１０】
2010231486.tif 000012